(57)【要約】【課題】  本発明は、梱包用のカートンおよび物品を梱包するための方法に関する。【解決手段】  梱包用のカートンが：細片形状でかつ順に第１の部分（５１）、第２の部分（５２）および第３の部分（５３）を備える中心部（２）；第２の部分（５２）の方へ折り曲げ可能な第１の補強翼（１１）；第２の部分（５２）の方へ折り曲げ可能な第２の補強翼（１２）；第３の部分（５３）の方へ折り曲げ可能な第３の補強翼（１３）；第１の部分（５１）の方へ折り曲げ可能な第４の補強部分（１４）、第１の部分（５１）の方へ折り曲げ可能な第１の閉鎖翼（４１）；第１の部分（５１）の方へ折り曲げ可能な第２の閉鎖翼（４２）を備える。【選択図】  図２
2015526355.tif 000002
【特許請求の範囲】
【請求項１】
梱包用のカートン（１）であって：
それが、細片形状でかつ順に第１の部分（５１）、第２の部分（５２）および第３の部分（５３）を備える中心部（２）を備え；前記第１の部分（５１）が前記第２の部分（５２）と前記第３の部分（５３）との間に挿入されて、かつ梱包されるべき少なくとも１個の物品（６）を載置して収容するように必要な大きさにされ；前記第２の部分（５２）が前記物品（６）の少なくとも第１の側面（７）で前記物品（６）を包むように必要な大きさにされ；前記第３の部分（５３）が前記物品（６）の前記第１の側面（７）の反対側にある前記物品（６）の少なくとも第２の側面（６）で前記物品（６）を包むように必要な大きさにされ；
それが、第１の折り目線（２１）および第２の折り目線（２２）を備えており；
それが、前記第１の折り目線（２１）を用いて前記第２の部分（５２）の第１の端部にヒンジ結合される第１の補強翼（１１）を備え、この第１の補強翼（１１）が前記第２の部分（５２）のほうへ折り曲げ可能であり；
それが、前記第２の折り目線（２２）を用いて前記第２の部分（５２）の第２の端部にヒンジ結合される第２の補強翼（１２）を備え、この第２の補強翼（１２）が前記第２の部分（５２）のほうへ折り曲げ可能であり；
前記第２の部分（５２）の前記第１の端部および前記第２の部分（５２）の前記第２の端部が、お互いに反対側であり；
前記第２の部分（５２）、前記第１の補強翼（１１）および前記第２の補強翼（１２）が、それらが全て相互に重ね合わせられる時、前記物品（６）が前記第１の部分（５１）上に載置される時前記物品（６）の少なくとも前記第１の側面（７）を包むように折り曲げ可能である第１の重ね合わせ群（３１）を画定し；
それが、前記第１の折り目線（２１）によって前記第３の部分（５３）の第１端部にヒンジ結合される第３の補強翼（１３）を備え、この第３の補強翼（１３）が前記第３の部分（５３）のほうへ折り曲げ可能であり；
それが、前記第２の折り目線（２２）によって前記第３の部分（５３）の第２の端部にヒンジ結合される第４の補強翼（１４）を備え、この第４の補強翼（１４）が前記第３の部分（５３）のほうへ折り曲げ可能であり；
前記第３の部分（５３）の前記第１端部および前記第３の部分（５３）の前記第２の端部が、お互いに反対側であり；
前記第３の部分（５３）、前記第３の補強翼（１３）および前記第４の補強翼（１４）が、全てお互いに重ね合わせられる時、前記物品が前記第１の部分（５１）上に載置される時前記物品（６）の少なくとも前記第２の側面（８）を包むように折り曲げ可能である第２の重ね合わせ群（３２）を画定し；
それが、前記第１の折り目線（２１）によって前記第１の部分（５１）の第１端部にヒンジ結合される第１の閉鎖翼（４１）を備え、この第１の閉鎖翼（４１）が前記第１の部分（５１）のほうへ折り曲げ可能であり、かつ前記第１の側面と前記第２の側面との間に含まれる少なくとも第３の側面（１０１）で、前記物品を包むように必要な大きさにされ；
それが、前記第２の折り目線（２２）によって前記第１の部分（５１）の第２の端部にヒンジ結合される第２の閉鎖翼（４２）を備え、この第２の閉鎖翼（４２）が前記第１の部分（５１）のほうへ折り曲げ可能であり、かつ前記第３の側面（１０１）の反対側にある少なくとも第４の側面（１０２）で前記物品を包むように必要な大きさにされ；
前記第１の部分（５１）の前記第１端部および前記第１の部分（５１）の前記第２の端部がお互いに反対側であることを特徴とするカートン（１）。
【請求項２】
請求項１に記載の梱包用のカートン（１）であって、前記物品が前記第１の部分（５１）上に載置されている時、前記第２の部分（５２）が前記物品（６）の前記第１の側面（７）を包むためにかつ前記物品（６）の前記上側（１００）の第１の部分を部分的に包むために必要な大きさにされ、第４の部分（５４）および第５の部分（５５）が前記第２の部分（５２）内に識別可能であり、前記第４の部分（５４）が前記第１の部分（５１）と前記第５の部分（５５）との間に挿入され、かつ前記物品（６）の前記第１の側面（７）を包むように必要な大きさにされ；前記第１の補強翼（１１）が前記第２の部分（５２）の方へ折り曲げてかつ前記第５の部分（５５）を重ね合わせるように必要な大きさにされてかつ配置され；前記第２の補強翼（１２）が前記第２の部分（５２）の方へ折り曲げてかつ前記第５の部分（５５）を重ね合わせるように必要な大きさにされてかつ配置され；前記梱包用のカートン（１）が前記第１の折り目線（２１）によって前記第２の部分（５２）の前記第１の端部にヒンジ結合される第５の補強翼（１５）を備え、この第５の補強翼（１５）が前記第２の部分（５２）の方へ折り曲げてかつ前記第４の部分（５４）を重ね合わせるように必要な大きさにされてかつ配置され；前記梱包用のカートン（１）が前記第２の折り目線（２２）によって前記第２の部分（５２）の前記第２の端部にヒンジ結合される第６の補強翼（１６）を備え、この第６の補強翼（１６）が前記第２の部分（５２）の方へ折り曲げてかつ前記第４の部分（５４）に重ね合わせるように必要な大きさにされてかつ配置され；前記第５の補強翼（１５）および前記第６の補強翼（１６）が、お互いに重ね合わせられてかつ前記第４の部分（５４）に重ね合わせられる時、前記第１の重ね合わせ群（３１）の一部であり；前記第２の部分（５２）、前記第１の補強翼（１１）、前記第２の補強翼（１２）、前記第５の補強翼（１５）および前記第６の補強翼（１６）が、前記第１の重ね合わせ群（３１）が前記物品（６）の前記第１の側面（７）を包み、かつ前記物品（６）の前記上側（１００）の前記第１の部分を部分的に包むために折り曲げられる時、前記第５の部分（５５）、前記第１の補強翼（１１）および前記第２の補強翼（１２）によって形成される第１の群（９１）が、前記第４の部分（５４）によって、前記第５の補強翼（１５）によっておよび前記第６の補強翼（１６）によって形成される第２の群（９２）に対してある角度に配置されるように構成されることを特徴とするカートン（１）。
【請求項３】
請求項１または２に記載の梱包用のカートン（１）であって、前記物品（６）が前記第１の部分（５１）上に載置されている時、前記第３の部分（５３）が、前記物品（６）の前記第２の側面（８）を包み、かつ前記物品（６）の前記上側（１００）の第２の部分を部分的に包むように必要な大きさにされ、第６の部分（５６）および第７の部分（５７）が前記第３の部分（５３）内に識別可能であり、前記第６の部分（５６）が前記第１の部分（５１）と前記第７の部分（５７）との間に挿入され、かつ前記物品（６）の前記第２の側面（８）を包むように必要な大きさにされ；前記第３の補強翼（１３）が前記第３の部分（５３）に対して折り曲げて、かつ前記第７の部分（５７）に重ね合わせるように必要な大きさにされてかつ配置され；前記第４の補強翼（１４）が前記第３の部分（５３）の方へ折り曲げて、かつ前記第７の部分（５７）に重ね合わせるように必要な大きさにされてかつ配置され；前記包装用のカートン（１）が前記第１の折り目線（２１）によって前記第３の部分（５３）の前記第１端部にヒンジ結合される第７の補強翼（１７）を備え、この第７の補強翼（１７）が前記第３の部分（５３）の方へ折り曲げて、かつ前記第６の部分（５６）に重ね合わせるように必要な大きさにされてかつ配置され；前記包装用のカートン（１）が前記第２の折り目線（２２）によって前記第３の部分（５３）の前記第２の端部にヒンジ結合される第８の補強翼（１８）を備え、この第８の補強翼（１８）が前記第３の部分（５３）の方へ折り曲げて、かつ前記第６の部分（５６）に重ね合わせるように必要な大きさにされてかつ配置され；前記第７の補強翼（１７）および前記第８の補強翼（１８）が、お互いに重ね合わせられてかつ前記第６の部分（５６）に重ね合わせられる時、前記第２の重ね合わせ群（３２）の一部であり；前記第３の部分（５３）、前記第３の補強翼（１３）、前記第４の補強翼（１４）、前記第７の補強翼（１７）および前記第８の補強翼（１８）が、前記第２の重ね合わせ群（３２）が前記物品（６）の前記第２の側面（８）を包みかつ前記物品（６）の前記上側（１００）の前記第２の部分を部分的に包むために折り曲げられる時、前記第７の部分（５７）、前記第３の補強翼（１３）および前記第４の補強翼（１４）によって形成される第３の群（９３）が、前記第６の部分（５６）、前記第７の補強翼（１７）および前記第８の補強翼（１８）によって形成される第４の群（９４）に対してある角度に配置されるように構成されることを特徴とするカートン（１）。
【請求項４】
前記第２の部分（５２）および前記第３の部分（５３）が、それらが前記第３の部分（５１）内に載置されている前記物品（６）を包む時、それらが部分的に相互に重ね合わせるように必要な大きさにされることを特徴とする請求項１−３のうちいずれか一項に記載の梱包用のカートン（１）。
【請求項５】
前記第１の閉鎖翼（４１）が、前記第１の閉鎖翼（４１）を前記第１の折り目線（２１）と第３の折り目線（２３）との間に含まれる第８の部分（５８）および前記第３の折り目線（２３）と前記第１の閉鎖翼（４１）の自由端との間に含まれる第９の部分（５９）に分割する、前記第３の折り目線（２３）を備え、前記第９の部分（５９）が前記第８の部分（５８）に対してある角度に配置されるように前記第１の閉鎖翼（４１）が、前記第１の部分（５１）の方へ折り曲げ可能であることを特徴とする請求項１−４のうちいずれか一項に記載の梱包用のカートン（１）。
【請求項６】
前記第１の閉鎖翼（４１）が前記第１の折り目線（２１）と前記第３の折り目線（２３）との間に含まれる第４の折り目線（２４）を備え、この第４の折り目線（２４）が、前記第８の部分（５８）を前記第１の折り目線（２１）と前記第４の折り目線（２４）との間に含まれる第１０の部分（６０）に、かつ前記第４の折り目線（２４）と前記第３の折り目線（２３）との間に含まれる第１１の部分（６１）に分割し、前記第１の閉鎖翼（４１）が：前記第１０の部分（６０）が前記第１の部分（５１）と接触し、前記第１１の部分（６１）が前記第１０の部分（６０）に対してある角度に配置され、および前記第９の部分（５９）が前記第１１の部分（６１）に対してある角度に配置されるように前記第１の部分（５１）の方へ折り曲げ可能であることを特徴とする請求項５に記載の梱包用のカートン（１）。
【請求項７】
前記第２の閉鎖翼（４２）を前記第２の折り目線（２２）と前記第５の折り目線（２５）との間に含まれる第１２の部分（６２）および前記第５の折り目線（２５）と前記第２の閉鎖翼（４２）の自由端との間に含まれる第１３の部分（６３）に分割する、第５の折り目線（２５）を前記第２の閉鎖翼（４２）が備え、前記第１３の部分（６３）が前記第１２の部分（６２）に対してある角度に配置されるような方法で、前記第２の閉鎖翼（４２）が前記第１の部分（５１）の方へ折り曲げ可能であることを特徴とする請求項１−６のうちいずれか一項に記載の梱包用のカートン（１）。
【請求項８】
前記第２の閉鎖翼（４２）が前記第２の折り目線（２２）と前記第５の折り目線（２５）との間に含まれる第６の折り目線（２６）を備え、この第６の折り目線（２６）が、前記第１２の部分（６２）を前記第２の折り目線（２２）と前記第６の折り目線（２６）との間に含まれる第１４の部分（６４）に、かつ前記第６の折り目線（２６）と前記第５の折り目線（２５）との間に含まれる第１５の部分（６５）に分割し、前記第２の閉鎖翼（４２）が：前記第１４の部分（６４）が前記第１の部分（５１）と接触し、前記第１５の部分（６５）が前記第１４の部分（６４）に対してある角度に配置され、および前記第１３の部分（６３）が前記第１５の部分（６５）に対してある角度に配置されるように前記第１の部分（５１）の方へ折り曲げ可能であることを特徴とする請求項７に記載の梱包用のカートン（１）。
【請求項９】
平面展開部を有する第１のシート（３５）および波打つ展開部を有する第２のシート（３６）であって、お互いに固定されている前記第１のシート（３５）および前記第２のシート（６）を備える請求項１−８のうちいずれか一項に記載の梱包用のカートン（１）。
【請求項１０】
前記第１の部分（５１）が前記第２のシート（３６）を用いて前記物品（６）と接触するように構成される請求項９に記載の梱包用のカートン（１）。
【請求項１１】
物品を梱包するための方法であって、それが以下のステップ、すなわち：
請求項１−１０のうちいずれか一項に記載の梱包用のカートン（１）を使用するステップ；
前記第１の部分（５１）上に少なくとも１個の物品（６）を放出するステップ；
前記第２の部分（５２）、前記第１の補強翼（１１）および前記第２の補強翼（１２）がお互いに重ね合わせられる前記第１の重ね合わせ群（３１）を形成するまで前記第１の補強翼（１１）、更には前記第２の補強翼（１２）の両方を前記第２の部分（５２）の方へ折り曲げるステップ；
前記物品（６）の少なくとも前記第１の側面（７）を包むように前記物品（６）に対して前記第１の重ね合わせ群（３１）を折り曲げるステップ；
前記第３の部分（５３）、前記第３の補強翼（１３）および前記第４の補強翼（１４）がお互いに重ね合わせられる前記第２の重ね合わせ群（３２）を形成するまで前記第３の補強翼（１３）および前記第４の補強翼（１４）の両方を前記第３の部分（５３）の方へ折り曲げるステップ；
前記物品（６）の少なくとも前記第２の側面（８）を包むように前記物品（６）に対して前記第２の重ね合わせ群（３２）を折り曲げるステップ；
少なくとも前記第３の側面（１０１）で前記物品（６）を包むように前記第１の部分（５１）の方へ前記第１の閉鎖翼（４１）を折り曲げるステップ；
少なくとも前記第４の側面（１０２）で前記物品（６）を包むように前記第１の部分（５１）の方へ前記第２の閉鎖翼（４２）を折り曲げるステップを含むことを特徴とする方法。
【請求項１２】
請求項１１に記載の物品を梱包するための方法であって、請求項２、または請求項２に従属する請求項３から１０までのいずれか一項に記載の使用される梱包用のカートン（１）において、前記第１の補強翼（１１）が前記第２の部分（５２）の方へ折り曲げられる時、それが前記第５の部分（５５）に重ね合わせ；前記第２の補強翼（１２）が前記第２の部分（５２）の方へ折り曲げられる時、それが前記第５の部分（５５）に重ね合わせ；前記方法が更なるステップ、すなわち：
前記第４の部分（５４）に重ね合わせるように前記第２の部分（５２）の方へ前記第５の補強翼（１５）を折り曲げるステップ；
前記第４の部分（５４）に重ね合わせるように前記第２の部分（５２）の方へ前記第６の補強翼（１６）を折り曲げるステップ；
前記第５の部分（５５）、前記第１の補強翼（１１）および前記第２の補強翼（１２）によって形成される群が、前記第４の部分（５４）によって、前記第５の補強翼（１５）によっておよび前記第６の補強翼（１６）によって形成される群に対してある角度に配置されるように前記物品（６）の前記第１の側面（７）を包んでかつ前記物品（６）の前記上側（１００）の前記第１の部分を部分的に包むように前記第２の部分（５２）、前記第１の補強翼（１１）、前記第２の補強翼（１２）、前記第５の補強翼（１５）および前記第６の補強翼（１６）を備える、前記第１の重ね合わせ群（３１）を前記物品（６）に対して折り曲げるステップを含むことを特徴とする方法。
【請求項１３】
請求項１１または１２に記載の物品を梱包するための方法であって、請求項３、または請求項３に従属する請求項４から１０までのいずれか一項に記載の使用される梱包用のカートン（１）において、
前記第３の補強翼（１３）が前記第３の部分（５３）の方へ折り曲げられる時、それが前記第７の部分（５７）に重ね合わせ；前記第４の補強翼（１４）が前記第３の部分（５３）の方へ折り曲げられる時、それが前記第７の部分（５７）に重ね合わせ；前記方法が更なるステップ、すなわち：
前記第６の部分（５６）に重ね合わせるように前記第３の部分（５３）の方へ前記第７の補強翼（１７）を折り曲げるステップ；
前記第６の部分（５６）に重ね合わせるように前記第３の部分（５３）の方へ前記第８の補強翼（１８）を折り曲げるステップ；
前記第７の部分（５７）、前記第３の補強翼（１３）および前記第４の補強翼（１４）によって形成される群が、前記第６の部分（５６）によって、前記第７の補強翼（１７）によっておよび前記第８の補強翼（１８）によって形成される群に対してある角度に配置されるように前記物品（６）の前記第２の側面（８）を包んでかつ前記物品（６）の前記上側（１００）の前記第２の部分を部分的に包むように前記第３の部分（５３）、前記第３の補強翼（１３）、前記第４の補強翼（１４）、前記第７の補強翼（１７）および前記第８の補強翼（１８）を備える、前記第２の重ね合わせ群（３２）を前記物品（６）に対して折り曲げるステップを含むことを特徴とする方法。
【請求項１４】
請求項１１または１２または１３に記載の物品を梱包するための方法であって、請求項６、または請求項６に従属する請求項７から１０までのいずれか一項に記載の使用される梱包用のカートン（１）において、前記第１の部分（５１）の方へ前記第１の閉鎖翼（４１）を折り曲げるステップが：前記第１０の部分（６０）が前記第１の部分（５１）と接触し、前記第１１の部分（６１）が前記第１０の部分（６０）に対してある角度に配置され、および前記第９の部分（５９）が前記第１１の部分（６１）に対してある角度に配置されるように実行されることを特徴とする方法。
【請求項１５】
請求項１１または１２または１３または１４に記載の物品を梱包するための方法であって、請求項８、または請求項８に従属する請求項９もしくは１０に記載の使用される梱包用のカートン（１）において、前記第１の部分（５１）の方へ前記第２の閉鎖翼（４２）を折り曲げるステップが：前記第１４の部分（６４）が前記第１の部分（５１）と接触し、前記第１５の部分（６５）が前記第１４の部分（６４）に対してある角度に配置され、および前記第１３の部分（６３）が前記第１５の部分（６５）に対してある角度に配置されるように実行されることを特徴とする方法。
【発明の詳細な説明】
【技術分野】
【０００１】
本発明は、本、ｄｖｄパック、紙の束などのような、物品の梱包に関する技術分野に関する。特に、本発明は梱包用のカートンおよび梱包用のカートンを使用して物品を梱包するための方法に関する。
【背景技術】
【０００２】
公知のタイプのカートンは：カートンの前面を画定する第１の壁；第１の折り目線を用いて第１の壁にヒンジ結合されてかつカートンの第１の側面を画定する第２の壁；第２の折り目線を用いて第２の壁にヒンジ結合されてかつ第１の壁と同じ寸法を有し、かつカートンの後面を画定する第３の壁；および第３の折り目線を用いて第３の壁にヒンジ結合されてかつ、カートンの第１の側面の反対側のカートンの第２の側面を画定する第４の壁によって形成される中心部を備える。
【０００３】
更に、カートンの閉鎖翼と共にそれの２つの対向端部に、中心部の各壁が設けられる。
【０００４】
上記のカートンによって物品を梱包するために最初に、中心部が平行六面体の形状を取るように、例えば接着剤を使用して、第４の壁の自由端に第１の壁の自由端を固定し、かつその後このように得られる平行六面体の同じ端部に配置される４枚の閉鎖翼を折り曲げて封止することによって底部を実現することが必要である；その後、輸送中の物品の起こりうる衝突を吸収するフィラー材料（例えばポリスチレン）と共に物品が挿入され、かつ最終的に残りの４枚の閉鎖翼が閉鎖されて封止される。
【０００５】
このタイプのカートンは衝突に対する低い耐性を有し、したがって輸送中に損傷される可能性があり、それがさらにその中に含有される物品の損傷に至る可能性がある。カートンの衝突に対する耐性を向上させるために、より硬いカートンが使われることができるが、それはしかしながらより大きなコストを招く。
【発明の概要】
【発明が解決しようとする課題】
【０００６】
本発明の目的は、この欠点を克服することにある。
【課題を解決するための手段】
【０００７】
上記の目的は、請求項１に記載の梱包用のカートン、および請求項１１に記載の物品を梱包するための方法によって達成される。
【０００８】
本発明に従う梱包用のカートンおよび物品を梱包するための方法は、有利には梱包される物品の少なくとも側面で向上した保護を提供する：実際、第１の重ね合わせ群および第２の重ね合わせ群が、第１の部分上に載置される物品の第１の側面および第２の側面のカバーとして機能する梱包用のカートンの少なくとも２つの層を呈する；詳細に、物品の第１の側面がそれの各セクション内に第１の補強翼または第２の補強翼から構成されることができる内層によって、またはお互いの上の第１の補強翼および第２の補強翼の重ね合わせによって、同じく第２の部分によって構成される外層によって保護され；類似した方法で、物品の第２の側面がそれの各セクション内に、第３の補強翼もしくは第４の補強翼またはお互いの上の第３の補強翼および第４の補強翼の重ね合わせによって構成されることができる内層によって、同じく第３の部分によって構成される外層によって保護される。
【０００９】
梱包されるべき物品の側面の保護の程度を更に向上するために、第１の補強翼および第２の補強翼がお互いに完全に重ね合わせ、かつ第３の補強翼および第４の補強翼がお互いに完全に重ね合わせるように、第１の補強翼、第２の補強翼、第３の補強翼および第４の補強翼の長さが選ばれることができる。この場合、第１の重ね合わせ群および第２の重ね合わせ群は、各々カートンの第１の側面および第２の側面をそれぞれ保護するための３層のカートンを備える。
【００１０】
更に、第１の重ね合わせ群および第２の重ね合わせ群が物品の第１の側面および第２の側面をそれぞれ包む時、第２の部分および第３の部分がお互いに接触してかつ少なくとも部分的に重ね合わせることができるように第２の部分および第３の部分の長さを選ぶことによって、梱包されるべき物品の上側（１００）に対してより良い保護がさらに得られることができる；この状態に加えて、または代わりとして、それらが物品の上側（１００）を覆う目的で第１の部分の方へ折り曲げられる時、第１の閉鎖翼および第２の閉鎖翼がお互いに接触してお互いに部分的に重ね合わせるように梱包用のカートンを必要な大きさにすることが可能である。
【図面の簡単な説明】
【００１１】
請求項内に規定されたものに従ってかつ図面の添付のテーブルの助けを借りて、本発明の特定の実施態様が本記述の以下の部分に記述され、そこにおいて：
【００１２】
【図１】本発明の目的の、平らにされた構成での梱包用の第１のカートンを例示する斜視図である；
【図１Ａ】図１の詳細Ｋのより大縮尺の図である；
【図２】梱包用の第１のカートンの第１の折り曲げステップを例示している斜視図である；
【図３Ａ】第１の折り曲げステップが完了されたあと、梱包用の第１のカートン上に載置されるように第１の物品の放出を例示している斜視図である；
【図３Ｂ】第１の折り曲げステップが完了された後の、同じく本発明の目的の、梱包用の第２のカートン上に載置されるように第２の物品の放出を例示している斜視図である；
【図４】梱包用の第１のカートンの第２の折り曲げのステップが完了されたあとの第１の物品の上側上に載置されるように文書の放出を例示している斜視図である；
【図５】梱包用の第１のカートンの折り曲げの第３のステップが完了されたあとの梱包用の第１のカートンの一部上の接着剤の塗布を例示している斜視図である；
【図６】第１の物品を含有している封止された梱包を得るために梱包用の第１のカートンの第４の折り曲げステップを例示している斜視図である；
【図７Ａ】第４の折り曲げステップが完了されたあとの梱包を例示している、かつラベルの貼付けを例示する斜視図である；
【図７Ｂ】図７Ａのそれに類似した図であるが、梱包が図３Ｂの第２の物品を含有し、かつ図３Ｂの梱包用の第２のカートンを使用することにより得られた点で異なる。
【発明を実施するための形態】
【００１３】
図面の添付のテーブルを参照して、（１）が、細片形状でかつ順に第１の部分（５１）、第２の部分（５２）および第３の部分（５３）を備える中心部（２）を備える、本発明の平面構成物での梱包用のカートンを示し；第１の部分（５１）が、第２の部分（５２）と第３の部分（５３）との間に挿入され、かつ少なくとも梱包されるべき物品（６）を載置して収容するように必要な大きさにされ；第２の部分（５２）が、物品（６）の少なくとも第１の側面（７）で物品（６）を包むように必要な大きさにされ；第３の部分（５３）が、物品（６）の第１の側面（７）の反対側にある物品（６）の少なくとも第２の側面（６）で物品（６）を包むように必要な大きさにされる。
【００１４】
カートンは、第１の折り目線（２１）および第２の折り目線（２２）を備えている。
【００１５】
カートン（１）は更に：第１の折り目線（２１）を用いて第２の部分（５２）の第１の端部にヒンジ結合される第１の補強翼（１１）であって、第２の部分（５２）のほうへ折り曲げ可能である第１の補強翼（１１）；および第２の折り目線（２２）を用いて第２の部分（５２）の第２の端部にヒンジ結合される第２の補強翼（１２）であって、第２の部分（５２）のほうへ折り曲げ可能である第２の補強翼（１２）を備える。
【００１６】
第２の部分（５２）の第１の端部および第２の部分（５２）の第２の端部は、お互いに反対側である。
【００１７】
第１の補強翼（１１）および第２の補強翼（１２）は好ましくは、それらが第２の部分（５２）の方へ折り曲げられる時、それらがお互いに接触してかつ少なくとも部分的にお互いを重ね合わせるように必要な大きさにされる。
【００１８】
第２の部分（５２）、第１の補強翼（１１）および第２の補強翼（１２）は、物品（６）が第１の部分（５１）上に載置されている時物品（６）の少なくとも第１の側面（７）を包むようにそれらが全て相互に重ね合わせられる時、折り曲げ可能である第１の重ね合わせ群（３１）を画定する。
【００１９】
カートン（１）は更に：第１の折り目線（２１）によって第３の部分（５３）の第１端部にヒンジ結合される第３の補強翼（１３）であって、第３の部分（５３）のほうへ折り曲げ可能である第３の補強翼（１３）；および第２の折り目線（２２）によって第３の部分（５３）の第２の端部にヒンジ結合される第４の補強翼（１４）であって、第３の部分（５３）のほうへ折り曲げ可能である第４の補強翼（１４）を備える。
【００２０】
第３の部分（５３）の第１端部および第３の部分（５３）の第２の端部は、お互いに反対側である。
【００２１】
第３の補強翼（１３）および第４の補強翼（１４）は好ましくは、それらが第３の部分（５３）の方へ折り曲げられる時、それらがお互いに接触してかつ少なくとも部分的にお互いを重ね合わせるように必要な大きさにされる。
【００２２】
第３の部分（５３）、第３の補強翼（１３）および第４の補強翼（１４）は、全てお互いに重ね合わせられる時、物品が第１の部分（５１）上に載置されている時物品（６）の少なくとも第２の側面（８）を包むように折り曲げ可能である第２の重ね合わせ群（３２）を画定する。
【００２３】
更に、カートン（１）は：第１の折り目線（２１）によって第１の部分（５１）の第１端部にヒンジ結合される第１の閉鎖翼（４１）であって、第１の部分（５１）のほうへ折り曲げ可能であり、かつ第１の側面と相対的第２の側面との間に含まれる少なくとも第３の側面（１０１）で物品（６）を包むように必要な大きさにされる第１の閉鎖翼（４１）；および第２の折り目線（２２）によって第１の部分（５１）の第２の端部にヒンジ結合される第２の閉鎖翼（４２）であって、第１の部分（５１）のほうへ折り曲げ可能であり、かつ相対的第３の側面（１０１）の反対側にある少なくとも第４の側面（１０２）で物品を包むように必要な大きさにされる第２の閉鎖翼（４２）を備える。
【００２４】
第１の部分（５１）の第１端部および第１の部分（５１）の第２の端部は、お互いに反対側である。
【００２５】
第１の閉鎖翼（４１）および第２の閉鎖翼（４２）は、好ましくは：物品（６）が第１の部分（５１）上に載置されている時；およびそれらが第１の部分（５１）の方へ折り曲げられる時、それらはお互いに接触し、かつ少なくとも部分的に重ね合わせられるように必要な大きさにされる。
【００２６】
本発明は、更に物品を梱包するための方法であって以下のステップ、すなわち：
ａ）平面構成で上記のタイプを梱包するためのカートン（１）を使用するステップ；
ｂ）第１の部分（５１）上に少なくとも１個の物品（６）を放出するステップ；
ｃ）第２の部分（５２）の方へ第１の補強翼（１１）、更には第２の補強翼（１２）の両方を第２の部分（５２）、第１の補強翼（１１）および第２の補強翼（１２）がお互いに重ね合わせられる第１の重ね合わせ群（３１）を形成するまで折り曲げるステップ；
ｄ）物品（６）の少なくとも第１の側面（７）を包むように物品（６）に対して第１の重ね合わせ群（３１）を折り曲げるステップ；
ｅ）第３の部分（５３）の方へ第３の補強翼（１３）および第４の補強翼（１４）の両方を第３の部分（５３）、第３の補強翼（１３）および第４の補強翼（１４）がお互いに重ね合わせられる第２の重ね合わせ群（３２）を形成するまで折り曲げるステップ；
ｆ）物品（６）の少なくとも第２の側面（８）を包むように物品（６）に対して第２の重ね合わせ群（３２）を折り曲げるステップ；
ｇ）少なくとも第３の側面（１０１）で物品（６）を包むように第１の部分（５１）の方へ第１の閉鎖翼（４１）を折り曲げるステップ；
ｈ）少なくとも第４の側面（１０２）で物品（６）を包むように第１の部分（５１）の方へ第２の閉鎖翼（４２）を折り曲げるステップを含む方法に関する。
【００２７】
ステップａ）−ｈ）が実施される順序は、上記しているものと異なることができ；例えば、ステップは以下の順序で実施されることができ：最初のステップａ）、ｂ）、ｃ）、ｅ）が実施され、図３Ａ、３Ｂを参照、次にステップｄ）、ｆ）、図４を参照、および最後にステップｇ）、ｈ）が実施される、図５を参照。
【００２８】
中心部（２）は、好ましくは連続的細片、すなわち折り目なしである（記述の以下の部分で検討され、かつ折り目線を代表しないセクタ５５、８１、５４、８２、５１、８４、５６、８３、５７を示す、中心部が例証としてあるだけであることを含む図１に示す線）；それがカートン（１）に加えられる折り目線の数を最小化し、それがカートン（１）の実現時間を低下させることを可能にするので、これは有利である。
【００２９】
カートン（１）は、好ましくは単一部材である。
【００３０】
第１の折り目線（２１）および第２の折り目線（２２）は、好ましくはお互いに平行で、かつ中心部（２）の展開方向に平行であり、それが第１の折り目線（２１）および第２の折り目線（２２）の実現を簡単にする。
【００３１】
カートン（１）の中心部（２）は、好ましくは矩形でかつ長方形であり、したがってそれの幅より大きい長さを有し；以下の説明では、長さは、中心部（２）の展開部と平行の寸法を意味するようにとられ、および幅は中心部（２）の展開部に対して垂直である寸法を意味するようにとられる。
【００３２】
第１の折り目線（２１）および第２の折り目線（２２）は、カートン（１）の残りの部分から、すなわち第１の補強翼（１１）から、第２の補強翼（１２）、第３の補強翼（１３）、第４の補強翼（１４）、第１の閉鎖翼（４１）および第２の閉鎖翼（４２）から中心部（２）の境界を決める。
【００３３】
第１の補強翼（１１）は、それに対して実質的に平行であるように第２の部分（５２）と接触するまで第２の部分（５２）の方へ折り曲げ可能であり；同様に、第２の補強翼（１２）はそれに対して実質的に平行であるように第２の部分（５２）と接触するまで第２の部分（５２）の方へ折り曲げ可能である。第１の補強翼（１１）は最初に、第２の部分（５２）に接触して、重ね合わせられるように折り曲げられることができ、一方、第２の補強翼（１２）がその後、第１の補強翼（１１）と接触し、かつその上におよび第２の部分（５２）上に重ね合わせられるように、またはその逆に折り曲げられることができる。
【００３４】
第１の補強翼（１１）と第２の補強翼（１２）との間の相互の重ね合わせは、図３Ｂにて図示したように部分的であるか、または図３Ａにて図示したように、全部であることができる。本記述では、一般用語では２つの要素の間の重ね合わせを参照する時、重ね合わせが少なくとも部分的であることが意味される。
【００３５】
第３の補強翼（１３）は、それに対して実質的に平行であるように第３の部分（５３）と接触するまで第３の部分（５３）の方へ折り曲げ可能であり；同様に、第４の補強翼（１４）はそれに対して実質的に平行であるように第３の部分（５３）と接触するまで第３の部分（５３）の方へ折り曲げ可能である。第３の補強翼（１３）は最初に、第３の部分（５３）に接触し、かつ重ね合わせられるように折り曲げられることができ、一方第４の補強翼（１４）がその後、第３の補強翼（１３）と接触し、かつその上におよび第３の部分（５３）上に重ね合わせられるように、またはその逆に折り曲げられることができる。
【００３６】
第３の補強翼（１３）と第４の補強翼（１４）との間の相互の重ね合わせは、図３Ｂにて図示したように部分的であるか、または図３Ａにて図示したように、全部であることができる。
【００３７】
第１の閉鎖翼（４１）および第２の閉鎖翼（４２）は、第１の部分（５１）の長手拡張部分の境界を決めることができる（図１、２）。
【００３８】
第１の補強翼（１１）および第２の補強翼（１２）は、第２の部分（５２）の長手拡張部分の境界を決めることができる（解は図で示されない）：換言すれば、第１の補強翼（１１）および第２の補強翼（１２）の長さは第２の部分（５２）の長さと一致することができる。同様に、第３の補強翼（１３）および第４の補強翼（１４）は第３の部分（５３）の長手拡張部分の境界を決めることができる（解は図で示されない）：換言すれば、第３の補強翼（１３）および第４の補強翼（１４）の長さは第３の部分（５３）の長さと一致することができる。
【００３９】
カートン（１）は、好ましくは平面展開部を有している第１のシート（３５）および波打つ展開部を有している第２のシート（３６）から構成され；第１のシート（３５）および第２のシート（６）は、お互いに固定される。このように得られたカートン（１）は有利には、第１の折り目線（２１）および第２の折り目線（２２）に対する追加的な折り目線に頼らなくても柔軟性および折り曲げ性という良い特性を呈する（言及されたように、中心部（２）は相対的長手展開方向に対して横の折り目線を必要としない）；特に、第１の重ね合わせ群（３１）および第２の重ね合わせ群（３２）は物品（６）の第１の側面（７）および第２の側面（８）に対して容易にかつ横の、すなわち第１の折り目線（２１）および第２の折り目線（２２）に対して垂直な折り目線の必要性なしでそれぞれ折り曲げられることができ；更に、その上、第１の閉鎖翼（４１）および第２の閉鎖翼（４２）は、第１の折り目線（２１）および第２の折り目線（２２）と平行の追加的な折り目線の必要性なしで、物品（６）に対して容易に折り曲げられることができる。
【００４０】
第２のシート（３６）が第１のシート（３５）と第３のシートとの間に挿入されるように、物品を梱包するための既知のタイプのカートンはその代わりに平面展開部を有している第３のシートを使用する。ボックスタイプの梱包を得るために特に設けられる折り目線のまわりでなければこれらの既知のカートンは折り曲げ可能でない。
【００４１】
本発明のカートン（１）は好ましくは、物品（６）の梱包（１１２）が完了される時、カートン（１）が梱包された物品（６）をより効果的に保護するように第１のシート（３５）が外側に露出されるように構成される；これを得るために、カートン（１）は第１の部分（５１）がそれの第２のシート（３６）を用いて物品（６）と接触するように設計されている、図１Ａを参照。
【００４２】
第２の部分（５２）は好ましくは、物品が第１の部分（５１）上に載置されている時物品（６）の第１の側面（７）を包み、かつ物品（６）の上側（１００）の第１の部分を部分的に包むように必要な大きさにされ；それゆえに、第４の部分（５４）および第５の部分（５５）が第２の部分（５２）内に識別可能であり、第４の部分（５４）が第１の部分（５１）と第５の部分（５５）との間に挿入され、かつ物品（６）の第１の側面（７）のまわりを包むように必要な大きさにされる。第１の補強翼（１１）は好ましくは、第２の部分（５２）の方へ折り曲げてかつ第５の部分（５５）を特に重ね合わせるように必要な大きさにされてかつ配置される（図２）。第２の補強翼（１２）は好ましくは、第２の部分（５２）の方へ折り曲げてかつ第５の部分（５５）を重ね合わせるように必要な大きさにされてかつ配置される（図２）。梱包用のカートン（１）は、好ましくは第１の折り目線（２１）によって第２の部分（５２）の第１の端部にヒンジ結合される第５の補強翼（１５）を備え、この第５の補強翼（１５）は、第２の部分（５２）の方へ折り曲げてかつ第４の部分（５４）を特に重ね合わせるように必要な大きさにされてかつ配置される。梱包用のカートン（１）は、好ましくは第２の折り目線（２２）によって第２の部分（５２）の第２の端部にヒンジ結合される第６の補強翼（１６）を備え、この第６の補強翼（１６）は、第２の部分（５２）の方へ折り曲げてかつ第４の部分（５４）に重ね合わせるように必要な大きさにされてかつ配置される。お互いに重ね合わせられ、かつ第４の部分（５４）に重ね合わせられる時、第５の補強翼（１５）および第６の補強翼（１６）は第１の重ね合わせ群（３１）の一部であり；第１の重ね合わせ群（３１）が物品（６）の第１の側面（７）を包んでかつ物品（６）の上側（１００）の第１の部分を部分的に包むために折り曲げられるように、第２の部分（５２）、第１の補強翼（１１）、第２の補強翼（１２）、第５の補強翼（１５）および第６の補強翼（１６）が構成され、第５の部分（５５）、第１の補強翼（１１）および第２の補強翼（１２）によって形成される第１の群（９１）が、第４の部分（５４）によって、第５の補強翼（１５）によって、および第６の補強翼（１６）によって形成される第２の群（９２）に対してある角度に配置される。
【００４３】
カートン（１）に対して定められる更なる特性に従って、本発明の方法が：第１の補強翼（１１）が第２の部分（５２）の方へ折り曲げられる時、それが第５の部分（５５）に重ね合わせるステップ；および第２の補強翼（１２）が第２の部分（５２）の方へ折り曲げられる時、それが第５の部分（５５）に重ね合わせるステップを含む。この方法が、更なるステップ：
第４の部分（５４）に重ね合わせるように第２の部分（５２）の方へ第５の補強翼（１５）を折り曲げるステップ；
第４の部分（５４）に重ね合わせるように第２の部分（５２）の方へ第６の補強翼（１６）を折り曲げるステップ；
第２の部分（５２）、第１の補強翼（１１）、第２の補強翼（１２）、第５の補強翼（１５）および第６の補強翼（１６）を備える、第１の重ね合わせ群（３１）を、第５の部分（５５）、第１の補強翼（１１）および第２の補強翼（１２）によって形成される群が、第４の部分（５４）によって、第５の補強翼（１５）によっておよび第６の補強翼（１６）によって形成される群に対してある角度に配置されるように物品（６）の第１の側面（７）を包み、かつ物品（６）の上側（１００）の第１の部分を部分的に包むように物品（６）に対して折り曲げるステップを含む。
【００４４】
第１の補強翼（１１）および第２の補強翼（１２）は、好ましくはお互いに同一でかつ中心部（２）に対して対称的に配置される（図１）。
【００４５】
第５の補強翼（１５）および第６の補強翼（１６）は、好ましくはお互いに同一でかつ中心部（２）に対して対称的に配置される（図１）。
【００４６】
第１の補強翼（１１）および第５の補強翼（１５）は、好ましくは第１のウィンドウ（７１）、すなわち好ましくは矩形である開口部によって隔てられ；第２の補強翼（１２）および第６の補強翼（１６）は、第２のウィンドウ（７２）、すなわち好ましくは矩形である開口部によって隔てられる。さらに、第１のウィンドウ（７１）および第２のウィンドウ（７２）は好ましくは中心部（２）に対して対称的に配置される。
【００４７】
第５の補強翼（１５）および第１の閉鎖翼（４１）は、好ましくは第３のウィンドウ（７３）、すなわち好ましくは矩形である開口部によって隔てられ；第６の補強翼（１６）および第２の閉鎖翼（４２）は、好ましくは第４のウィンドウ（７４）、すなわち好ましくは矩形である開口部によって隔てられる。さらに、第３のウィンドウ（７３）および第４のウィンドウ（７４）は好ましくは中心部（２）に対して対称的に配置される。
【００４８】
それゆえに、第１の補強翼（１１）および第２の補強翼（１２）が、お互いにおよび第５の部分（５５）に相互に重ね合わせるために折り曲げられる時、ならびに第５の補強翼（１５）および第６の補強翼（１６）がお互いにおよび第４の部分（５４）に相互に重ね合わせるために折り曲げられ、したがって第１の群を形成する時、第１の折り目細片（８１）が第１の群（９１）と第２の群（９２）との間に画定され、および第２の折り目細片（８２）が第２の群（９２）と第１の部分（５１）との間に画定される。
【００４９】
第１の折り目細片（８１）および第２の折り目細片（８２）は、中心部（２）の展開方向に対して垂直である、すなわち第１の折り目線（２１）および第２の折り目線（２２）に対して垂直である。
【００５０】
第１の折り目細片（８１）および第２の折り目細片（８２）は、各々がカートン（１）の少なくとも２つの層を呈する第１の群（９１）および第２の群（９２）と異なって、それらの各々が第２の部分（５２）の対応するセクタだけによって形成され、したがって、カートン（１）の１つの層だけを呈するので（図３Ａ、３Ｂを参照）、第１の群の脆弱領域を代表する。
【００５１】
第１の折り目細片（８１）および第２の折り目細片（８２）は、したがって、折り目線に等しく；実際、第１の重ね合わせ群（３１）が第１の部分（５１）上に載置されている物品（６）の第１の側面（７）に対して折り曲げられる時、第２の群（９２）は第２の折り目細片（８２）のまわりに回転する傾向があり、および第１の群（９１）は第１の折り目細片（８１）のまわりに第２の群（９２）に対して回転する傾向がある。実際問題として、第２の群（９２）に対する第１の群（９１）の回転を可能にするために、第５の補強翼（１５）および第６の補強翼（１６）が、梱包されるべき物品（６）の第１の側面（７）の高さ以上である（好ましくは等しい）長さ（すなわち中心部２の展開方向の長手拡張部分）を有することがとりわけ好ましい。
【００５２】
物品（６）の第１の側面（７）に対する第１の群の折り曲げ作業がしたがって、有利に促進される。
【００５３】
第３の部分（５３）は好ましくは、物品（６）が第１の部分（５１）上に載置されている時、物品（６）の第２の側面（８）を包んでかつ物品（６）の上側（１００）の第２の部分を部分的に包むように必要な大きさにされる。それゆえに、第６の部分（５６）および第７の部分（５７）が第３の部分（５３）内に識別可能であり、第６の部分（５６）が第１の部分（５１）と第７の部分（５７）との間に挿入され、かつ物品（６）の第２の側面（８）を包むように必要な大きさにされる。第３の補強翼（１３）は好ましくは、第３の部分（５３）に対して折り曲げてかつ第７の部分（５７）に重ね合わせるように必要な大きさにされてかつ配置される（図２）；好ましくは、第４の補強翼（１４）は第３の部分（５３）の方へ折り曲げてかつ第７の部分（５７）に特に重ね合わせるように必要な大きさにされてかつ配置される（図２）。梱包用のカートン（１）は、好ましくは第１の折り目線（２１）を用いて第３の部分（５３）の第１端部にヒンジ結合される第７の補強翼（１７）を備え、この第７の補強翼（１７）は、第３の部分（５３）の方へ折り曲げてかつ第６の部分（５６）に重ね合わせるように必要な大きさにされてかつ配置される。包装用のカートン（１）は、好ましくは第２の折り目線（２２）によって第３の部分（５３）の第２の端部にヒンジ結合される第８の補強翼（１８）を備え、この第８の補強翼（１８）は、第３の部分（５３）の方へ折り曲げてかつ第６の部分（５６）に重ね合わせるよう必要な大きさにされてかつ配置される。第７の補強翼（１７）および第８の補強翼（１８）は、お互いに重ね合わせられてかつ第６の部分（５６）に重ね合わせられる時、第２の重ね合わせ群（３２）の一部である；第３の部分（５３）、第３の補強翼（１３）、第４の補強翼（１４）、第７の補強翼（１７）および第８の補強翼（１８）が、第２の重ね合わせ群（３２）が物品（６）の第２の側面（８）を包んでかつ物品（６）の上側（１００）の第２の部分を部分的に包むために折り曲げられる時、第７の部分（５７）、第３の補強翼（１３）および第４の補強翼（１４）によって形成される第３の群（９３）が、第６の部分（５６）、第７の補強翼（１７）および第８の補強翼（１８）によって形成される第４の群（９４）に対して好ましくは９０°の角度に配置されるように構成されている。
【００５４】
カートン（１）に対して定められる更なる特性に従って、本発明の方法が：第３の補強翼（１３）が第３の部分（５３）の方へ折り曲げられる時、それが第７の部分（５７）に重ね合わせるステップ；および第４の補強翼（１４）が第３の部分（５３）の方へ折り曲げられる時、それが第７の部分（５７）に重ね合わせるステップを含む。この方法は、更なるステップ：
第６の部分（５６）に重ね合わせるように第３の部分（５３）の方へ第７の補強翼（１７）を折り曲げるステップ；
第６の部分（５６）に重ね合わせるように第３の部分（５３）の方へ第８の補強翼（１８）を折り曲げるステップ；
第３の部分（５３）、第３の補強翼（１３）、第４の補強翼（１４）、第７の補強翼（１７）および第８の補強翼（１８）を備える、第２の重ね合わせ群（３２）を、第７の部分（５７）、第３の補強翼（１３）および第４の補強翼（１４）によって形成される群が、第６の部分（５６）によって、第７の補強翼（１７）によっておよび第８の補強翼（１８）によって形成される群に対してある角度に配置されるように物品（６）の第２の側面（８）を包んでかつ物品（６）の上側（１００）の第２の部分を部分的に包むように物品（６）に対して折り曲げるステップを含む。
【００５５】
第３の補強翼（１３）および第４の補強翼（１４）は、好ましくはお互いに同一でかつ中心部（２）に対して対称的に配置される（図１）。
【００５６】
第２の補強翼（１７）および第８の補強翼（１８）は、好ましくはお互いに同一でかつ中心部（２）に対して対称的に配置される（図１）。
【００５７】
第３の補強翼（１３）および第７の補強翼（１７）は、好ましくは第５のウィンドウ（７５）、すなわち好ましくは矩形である開口部によって隔てられ；第４の補強翼（１４）および第８の補強翼（１８）は、好ましくは第６のウィンドウ（７６）、すなわち好ましくは矩形である開口部によって隔てられる。さらに、第５のウィンドウ（７５）および第６のウィンドウ（７６）は好ましくは中心部（２）に対して対称的に配置される。
【００５８】
第７の補強翼（１７）および第１の閉鎖翼（４１）は、好ましくは第７のウィンドウ（７７）、すなわち好ましくは矩形である開口部によって隔てられ；第８の補強翼（１４）および第２の補強翼（１８）は、好ましくは第８のウィンドウ（７８）、すなわち好ましくは矩形である開口部によって隔てられる。さらに、第７のウィンドウ（７７）および第８のウィンドウ（７８）は好ましくは中心部（２）に対して対称的に配置される。
【００５９】
それゆえに、第３の補強翼（１３）および第４の補強翼（１４）が、お互いにかつ第７の部分（５７）に相互に重ね合わせるために折り曲げられる時、ならびに第７の補強翼（１７）および第８の補強翼（１８）が、お互いにかつ第６の部分（５６）に相互に重ね合わせるために折り曲げられ、したがって第２の群を形成する時、第３の折り曲げ細片（８３）が第３の群（９３）と第４の群（９４）との間に画定され、および第４の折り曲げ細片（８４）が第４の群（９４）と第１の部分（５１）との間に画定される。
【００６０】
第３の折り曲げ細片（８３）および第４の折り曲げ細片（８４）は、中心部（２）の展開方向に対して垂直である、すなわち第１の折り目線（２１）および第２の折り目線（２２）に対して垂直である。
【００６１】
第３の折り曲げ細片（８３）および第４の折り曲げ細片（８４）は、各々がカートン（１）の少なくとも２つの層を呈する第３の群（９３）および第４の群（９４）と異なってそれらの各々が第３の部分（５３）の対応するセクタだけによって形成され、したがってカートン（１）の１つだけの層を呈するので（図３Ａ、３Ｂを参照）、第２の群の脆弱領域を代表する。
【００６２】
第３の折り目線（８３）および第４の折り目線（８４）は、したがって、折り目線に等しい；実際、第２の重ね合わせ群（３２）が第１の部分（５１）上に載置されている物品（６）の第２の側面（８）に対して折り曲げられる時、第４の群（９４）は第４の折り目細片（８４）のまわりに回転する傾向があり、および第３の群（９３）は第３の折り目細片（８３）のまわりに第４の群（９４）に対して回転する傾向がある。
【００６３】
実際問題として、第４の群（９４）に対する第３の群（９３）の回転を可能にするために、第７の補強翼（１７）および第８の補強翼（１８）が、梱包されるべき物品（６）の第２の側面（８）の高さ以上の（好ましくは等しい）長さを有することが、とりわけ好ましい。
【００６４】
物品（６）の第２の側面（８）に対して第２の群を折り曲げる作業がしたがって、有利に促進される。
【００６５】
第２の部分（５２）および第３の部分（５３）は、好ましくはそれらが第３の部分（５１）内に載置されている物品（６）を包む時、それらが部分的に相互に重ね合わせるように必要な大きさにされる；換言すれば、それらが第１の部分（５１）上に載置されている物品（６）の第１の側面（７）および第２の側面（８）に対してそれぞれ折り曲げられる時、第１の群および第２の群はお互いに接触してかつ部分的に重ね合わせる。これは、物品（６）の上側（１００）の第１の部分および物品（６）の上側（１００）の第２の部分が共通する領域を有することを意味する。
【００６６】
換言すれば、第１の部分（５１）と接触する相対的底部の反対側の物品（６）の上側（１００）が第１の重ね合わせ群（３１）および第２の重ね合わせ群（３２）の相互の重ね合わせおよび／または第１の閉鎖翼（４１）および第２の閉鎖翼（４２）の相互の重ね合わせによって覆われるように、梱包用のカートン（１）が必要な大きさにされることができる。
【００６７】
代わりとして、物品（６）の上側（１００）がカバーを取られるように、梱包用のカートン（１）が必要な大きさにされることができ；物品の梱包が完了されたあとでさえ、物品（６）の上側（１００）が見えるままであることが望ましい場合、これが有益となりうる。
【００６８】
第１の閉鎖翼（４１）は、好ましくは第１の折り目線（２１）と第３の折り目線（２３）との間に含まれる第８の部分（５８）、および第３の折り目線（２３）と第１の閉鎖翼（４１）の自由端との間に含まれる第９の部分（５９）に第１の閉鎖翼（４１）を分割する第３の折り目線（２３）を備えており、第９の部分（５９）が第８の部分（５８）に対してある角度に配置されるように、第１の閉鎖翼（４１）が第１の部分（５１）の方へ折り曲げ可能である。
【００６９】
第１の閉鎖翼（４１）は、好ましくは第１の折り目線（２１）と第３の折り目線（２３）との間に含まれる第４の折り目線（２４）を備えており、この第４の折り目線（２４）は、第８の部分（５８）を第１の折り目線（２１）と第４の折り目線（２４）との間に含まれる第１０の部分（６０）、および第４の折り目線（２４）と第３の折り目線（２３）との間に含まれる第１１の部分（６１）に分割し、第１の閉鎖翼（４１）が：第１０の部分（６０）が第１の部分（５１）と接触し、第１１の部分（６１）が第１０の部分（６０）に対してある角度に配置され、および第９の部分（５９）が第１１の部分（６１）に対してある角度に配置されるように第１の部分（５１）の方へ折り曲げ可能である（図５）。
【００７０】
したがって、第１０の部分（６０）は第１の部分（５１）に重ね合わせ、それに対して平行に配置され、かつ第１の補強縁部を形成し（図３Ａ、３Ｂ）、それは一旦梱包（１１２）が完了されたならば、物品（６）を衝突および偶発的な落下から更に保護する。
【００７１】
上記の方法に従っておよびカートン（１）に対して定められる更なる特性に従って、第１の部分（５１）の方へ第１の閉鎖翼（４１）を折り曲げるステップが：第１０の部分（６０）が第１の部分（５１）と接触し、第１１の部分（６１）が第１０の部分（６０）に対してある角度（好ましくは９０°）に配置され、および第９の部分（５９）が第１１の部分（６１）に対して、ある角度（好ましくは９０°）に配置されるように実行される。
【００７２】
第２の閉鎖翼（４２）は好ましくは、第２の閉鎖翼（４２）を第２の折り目線（２２）と第５の折り目線（２５）との間に含まれる第１２の部分（６２）、および第５の折り目線（２５）と第２の閉鎖翼（４２）の自由端との間に含まれる第１３の部分（６３）に分割する、第５の折り目線（２５）を備えており、第２の閉鎖翼（４２）は、第１３の部分（６３）が第１２の部分（６２）に対してある角度に配置されるような方法で、第１の部分（５１）の方へ折り曲げ可能である（図５）。
【００７３】
第２の閉鎖翼（４２）は好ましくは、第２の折り目線（２２）と第５の折り目線（２５）との間に含まれる第６の折り目線（２６）を備えており、この第６の折り目線（２６）は、第１２の部分（６２）を第２の折り目線（２２）と第６の折り目線（２６）との間に含まれる第１４の部分（６４）、および第６の折り目線（２６）と第５の折り目線（２５）との間に含まれる第１５の部分（６５）に分割し、第２の閉鎖翼（４２）は：第１４の部分（６４）が第１の部分（５１）と接触し、第１５の部分（６５）が第１４の部分（６４）に対してある角度に配置され、および第１３の部分（６３）が第１５の部分（６５）に対してある角度に配置されるように第１の部分（５１）の方へ折り曲げ可能である。
【００７４】
したがって、第１４の部分（６４）は第１の部分（５１）に重ね合わせ、それに対して平行に配置され、かつ第２の補強縁部を形成し（図３Ａ、３Ｂ）、それは有利には、一旦梱包（１１２）が完了されるならば、物品（６）を衝突および偶発的な落下から保護する。
【００７５】
上記の方法に従ってかつカートン（１）に対して定められる更なる特性によれば、第１の部分（５１）の方へ第２の閉鎖翼（４２）を折り曲げるステップが：第１４の部分（６４）が第１の部分（５１）と接触し、第１５の部分（６５）が第１４の部分（６４）に対してある角度に配置され、および第１３の部分（６３）が第１５の部分（６５）に対してある角度に配置されるような方法で実行される。
【００７６】
図２は、中心部（２）に塗布される接着剤の２枚の細片、すなわち：第１の折り目線（２１）の近くに配置されてそれに対して平行の接着材の第１の細片（９６）；および第２の折り目線（２２）の近くに配置されてそれに対して平行の接着剤の第２の細片（９７）を例示する。
【００７７】
第１の折り目線（２１）に対して：第２の補強翼（１２）から第５の部分（５５）への；第６の補強翼（１６）から第４の部分（５４）への；第１４の部分（６４）から第１の部分（５１）への；第８の補強翼（１８）から第６の部分（５６）への；および第４の補強翼（１４）から第７の部分（５７）への固着を可能にするために、接着剤の第１の細片（９６）が配置される。
【００７８】
第２の折り目線（２２）に対して：第１の補強翼（１１）から第５の部分（５５）への；第５の補強翼（１５）から第４の部分（５４）への；第１０の部分（６０）から第１の部分（５１）への；第７の補強翼（１７）から第６の部分（５６）への；および第３の補強翼（１３）から第７の部分（５７）への固着を可能にするために、接着剤の第２の細片（９７）が配置される。
【００７９】
図３Ａ、３Ｂは、本発明のカートン（１）の測定結果を適応することによって（それらが異なる高さである２個の物品の例示された場合に）それが異なる寸法の物品（６）をどのように梱包することが可能かを明らかにする。
【００８０】
図４は、梱包作業が完了される前に、形成中に文書（１１０）を梱包内に挿入するステップを例示する。
【００８１】
図５は、例証として、一旦カートン（１）の全ての折り曲げ作業が実施されたならば梱包（１１２）のシーリング（図６）を確実にするように接着剤の第３の細片（９８）が第５の部分（５５）に特に接触する第１の群（９１）上の接着剤の第３の細片（９８）の塗布を例示する。
【００８２】
図７Ａ、７Ｂは、異なる寸法の物品に適している梱包（１１２）および梱包（１１２）にラベル（１１１）を貼り付けるステップを示す。
【００８３】
上記は限定されない例として記述され、および、任意の構成的変形が以下に記載されたように本技術解の保護範囲内に含まれると理解される。
【符号の説明】
【００８４】
１  カートン
２  中心部
６  物品  第２の側面  第２のシート
７  第１の側面
８  第２の側面
１１  第１の補強翼
１２  第２の補強翼
１３  第３の補強翼
１４  第４の補強翼
１５  第５の補強翼
１６  第６の補強翼
１７  第７の補強翼
１８  第８の補強翼
２１  第１の折り目線
２２  第２の折り目線
２３  第３の折り目線
２４  第４の折り目線
２５  第５の折り目線
２６  第６の折り目線
３１  第１の重ね合わせ群
３２  第２の重ね合わせ群
３５  第１のシート
３６  第２のシート
４１  第１の閉鎖翼
４２  第２の閉鎖翼
５１  第１の部分
５２  第２の部分
５３  第３の部分
５４  第４の部分
５５  第５の部分
５６  第６の部分
５７  第７の部分
５８  第８の部分
５９  第９の部分
６０  第１０の部分
６１  第１１の部分
６２  第１２の部分
６３  第１３の部分
６４  第１４の部分
６５  第１５の部分
７１  第１のウィンドウ
７２  第２のウィンドウ
７３  第３のウィンドウ
７４  第４のウィンドウ
７５  第５のウィンドウ
７６  第６のウィンドウ
８１  第１の折り目細片
８２  第２の折り目細片
８３  第３の折り曲げ細片  第３の折り目線
８４  第４の折り曲げ細片  第４の折り目線
９１  第１の群
９２  第２の群
９３  第３の群
９４  第４の群
９６  接着材の第１の細片
９７  接着剤の第２の細片
９８  接着剤の第３の細片
１００  上側
１０１  第３の側面
１０２  第４の側面
１１０  文書
１１１  ラベル
１１２  梱包
【図１】
2015526355.tif 000003
【図１Ａ】
2015526355.tif 000004
【図２】
2015526355.tif 000005
【図３Ａ】
2015526355.tif 000006
【図３Ｂ】
2015526355.tif 000007
【図４】
2015526355.tif 000008
【図５】
2015526355.tif 000009
【図６】
2015526355.tif 000010
【図７Ａ】
2015526355.tif 000011
【図７Ｂ】
2015526355.tif 000012
【国際調査報告】
2015526355.tif 000013
2015526355.tif 000014